(57)【要約】【課題】  従来の扉側に取付けられているボールの排水口側に連結される供給口と床下に形成されている排水管に連結される排水口とが存在し、扉の開け閉め時に供給口および排水口とボール側の排水口および排水管側との接続・離脱が行われるため、それぞれの接続口部分の密閉度を良好とするためには複雑となりコスト高となり、また、簡易な構造とした場合には接続部分から汚水が漏れ出るといった問題があった。【解決手段】  ボール１ｂの排水口１ｃ裏面側に該ボールの排水口と連通して排水を行う連通管８と、該連通管の下端が内部に位置した状態で着脱自在に取付けられるトラップ９とより構成し、前記排水口から流れ出る排水によって前記連通管の下端が閉塞されていることを特徴とする排水処理装置である。【選択図】        図３
2010115377.tif 000002
【特許請求の範囲】
【請求項１】
ボールの排水口裏面側に該ボールの排水口と連通して排水を行う連通管と、
該連通管の下端が内部に位置した状態で着脱自在に取付けられるトラップとより構成し、
前記排水口から流れでる排水によって前記連通管の下端が閉塞されていることを特徴とする排水処理装置。
【請求項２】
ボールが給排水ボックスに対して水平方向に回転可能に取付けられた歯科治療ユニットであって、
前記給排水ボックスに対して前記ボールを回転自在に取付けるための下面が開放されたボール支持台と、
前記ボールの排水口裏面側に該ボールの排水口と連通して排水を行う連通管と、
該連通管の下端が内部に位置した状態で着脱自在に取付けられるトラップとより構成し、
前記排水口から流れでる排水によって前記連通管の下端が閉塞されていることを特徴とする排水処理装置。
【請求項３】
前記連通管は前記トラップを着脱自在に取付けるためのトラップ支持管と、該トラップ支持管の内周に形成され前記スピットンの開口部から排出される汚水や汚物が導入される流通路の二重管構造となっており、前記流通路の下端は前記トラップを取付けた状態において該トラップの底面近くまで達する長さに形成されていることを特徴とする請求項１または２記載の排水処理装置。
【請求項４】
前記ボールの開口部に載置される多数の孔が形成されたゴミキャッチャーと、該ゴミキャッチャーの開口部に対して隙間を介して円板部のキャップ部を有し、該キャップ部から下方に延長され前記ゴミキャッチャーの前記孔に対して着脱自在に係合される突起を有する係合杆からなるカバーとによって大きな汚物を除去するようにしたことを特徴とする請求項１または２記載の排水処理装置。
【請求項５】
前記ゴミキャッチャーの底面外側にリブを設けたことを特徴とする請求項４記載の排水処理装置。
【発明の詳細な説明】
【技術分野】
【０００１】
本発明は、洗面ボールや洗髪ボールおよび患者が歯科治療中に嗽を行うための歯科用スピットンボールであって、洗面・洗髪あるいは患者が嗽を行った時に排出される汚水や汚物を集積して容易に廃棄することができ、かつ、排水管よりの汚臭を防止することができる排水処理装置に関する。
【背景技術】
【０００２】
従来における、例えば、歯科用ボールから排出される汚水や汚物を集積する装置としては、例えば、特開平９−１０３４３９号公報に開示された発明がある。この発明は、ボールとからの汚水を排出する給排水ボックスの側壁に開閉自在な扉を形成し、該扉の内側壁に対して着脱自在なボールからの汚水を通過させるフィルタを設けたものである。
【０００３】
また、他の先行例としては、特開２００４−１５９９４２号公報に開示された発明がある。この発明は、ボールの排水口に対して該排水口から流れ出る汚水中からゴミを集積するフィルタを着脱自在に取付けたものである。
【特許文献１】特開平９−１０３４３９号公報
【特許文献２】特開２００４−１５９９４２号公報
【発明の開示】
【発明が解決しようとする課題】
【０００４】
ところで、前記した文献１の発明にあっては、扉側に取付けられているボールの排水口側に連結される供給口と床下に形成されている排水管に連結される排水口とが存在し、扉の開け閉め時に供給口および排水口とボール側の排水口および排水管側との接続・離脱が行われるため、それぞれの接続口部分の密閉度を良好とするためには複雑となりコスト高となり、また、簡易な構造とした場合には接続部分から汚水が漏れ出るといった問題がある。
【０００５】
一方、前記した文献２の発明にあっては、ボールの排水口にフィルタを取付けるだけの構造であるためコスト的には廉価に製作できるが、フィルタの目を細かくすれば歯牙の破片が目詰まりを起こす可能性があると共にボール内の水流れが悪くなり、また、フィルタの目を荒くすると水流れは良好となるが歯牙の破片を捕捉できなくなるといった問題が生じる。
【０００６】
本発明は前記した問題点を解決せんとするもので、その目的とするところは、汚水や汚物を良好に捕捉することができると共に洗面ボールや洗髪ボールおよび歯科用ボールよりの排水もスムーズに行え、また、異臭の発生を防止することができる排水処理装置を提供せんとするにある。
【課題を解決するための手段】
【０００７】
本発明の排水処理装置は前記した問題点を解決せんとするもので、請求項１の手段は、ボールの排水口裏面側に該ボールの排水口と連通して排水を行う連通管と、該連通管の下端が内部に位置した状態で着脱自在に取付けられるトラップとより構成し、前記排水口から流れでる排水によって前記連通管の下端が閉塞されていることを特徴とする。
【０００８】
請求項２の手段は、ボールが給排水ボックスに対して水平方向に回転可能に取付けられた歯科治療ユニットであって、前記給排水ボックスに対して前記ボールを回転自在に取付けるための下面が開放されたボール支持台と、前記ボールの排水口裏面側に該ボールの排水口と連通して排水を行う連通管と、該連通管の下端が内部に位置した状態で着脱自在に取付けられるトラップとより構成し、前記排水口から流れでる排水によって前記連通管の下端が閉塞されていることを特徴とする。
【０００９】
請求項３の手段は、前記した請求項１または２において、前記連通管は前記トラップを着脱自在に取付けるためのトラップ支持管と、該トラップ支持管の内周に形成され前記ボールの開口部から排出される汚水や汚物が導入される流通路の二重管構造となっており、前記流通路の下端は前記トラップを取付けた状態において該トラップの底面近くまで達する長さに形成されていることを特徴とする。
【００１０】
請求項４の手段は、前記した請求項１または２において、前記ボールの開口部に載置される多数の孔が形成されたゴミキャッチャーと、該ゴミキャッチャーの開口部に対して隙間を介して円板部のキャップ部を有し、該キャップ部から下方に延長され前記ゴミキャッチャーの前記孔に対して着脱自在に係合される突起を有する係合杆からなるカバーとによって大きな汚物を除去するようにしたことを特徴とする。
【００１１】
請求項５の手段は、前記した請求項４において、前記ゴミキャッチャーの底面外側にリブを設けたことを特徴とする。
【発明の効果】
【００１２】
本発明は前記したように、ボールの排水口に該ボールの開口部と連通して排水を行う連通管を取付け、該連通管の下端がトラップの内部まで位置した状態となるように取付けたので、ボールの開口部から流出される汚物をトラップにおいて捕捉し、トラップを連通管より取り外すことで捕捉した汚物を廃棄でき、かつ、排水口から流れでる排水によって前記連通管の下端が閉塞されているので、排水口から汚臭が流れ出ることがない。
【００１３】
また、前記ボールが給排水ボックスに対して水平方向に回転可能に取付けられている歯科用ユニットにあっても、給排水ボックスの下面が開放される位置まで回転することでトラップを連通管から取り外し可能となるので、ボールから排出される汚物を確実に捕捉して下流に流すことがなく、かつ、排水口から流れでる排水によって前記連通管の下端が閉塞されているので、排水口から汚臭が流れ出ることがない。
【００１４】
また、前記連通管はトラップを着脱自在に取付けるためのトラップ支持管と、該トラップ支持管の内周に形成され前記ボールの開口部から排出される汚水や汚物が導入される流通路の二重管構造と、該流通路の下端がトラップの底面近くまで延長されていることで、トラップに滞留した水によって排水管および排水管より下方の配管で発生する汚臭はトラップ内の水によって遮られてボール側に漏れることがなく、従って、患者に対して汚臭による不快な思いをさせることがない。
【００１５】
さらに、ボールの開口部に載置される多数の孔が形成されたゴミキャッチャーと、該コミキャッチャーの開口部に対して着脱自在なカバーとを一体化した汚物捕捉手段によって大きな汚物を捕捉するようにしたので、前記トラップへの汚物の量が減ってトラップの清掃回数を少なくでき、また、カバーによって汚物が患者から見えないため不快な思いをさせることがない。
【００１６】
また、前記ゴミキャッチャーの底面外側にリブを設けたことにより、ゴミキャッチャーとカバーとを分離する際にカバーのキャップ部とゴミキャッチャーのリブとを手に持って互いに引っ張る方向に力を入れることで分離するので、キャッチャー部に捕捉された大きめのゴミを廃棄することが簡単に行える等の効果を有するものである。
【発明を実施するための最良の形態】
【００１７】
本発明は、ボールの排水口に該ボールの開口部と連通して排水を行う連通管を取付け、該連通管の下端にトラップを着脱自在に取付けた。
【実施例１】
【００１８】
以下、本発明に係る排水処理装置の一実施例を歯科用ボールに応用した場合について図面と共に説明する。
図１はボールを備えた歯科治療ユニットの斜視図、図２（ａ）は患者がボールを使用しない状態を示すボールを給排水ボックスに対して平行にした平面図、図２（ｂ）は患者が嗽を行う状態を示すボールを給排水ボックスから略９０度に回転した状態を示す平面図である。
【００１９】
図１において、１はボールユニットを示し、給排水ボックス１ａの上面にはボール１ｂが給排水ボックス１ａに対して平行な状態と、患者が嗽を行い易いように患者側に向けて略９０度回転可能に取付けられている（図２参照）。なお、図面には治療用椅子を開示していないが、該治療用椅子は図１において
ボールユニット１の右側に配置されている。
【００２０】
２は前記給排水ボックス１ａの前方に引き出し可能に取付けられた歯科治療時にアシスタントが使用するアシスタントホルダー、３は前記給排水ボックス１ａの上面後方に回転自在に取付けられた第１アーム３ａ、該第１アーム３ａに対して水平方向に回動自在に取付けられた第２アーム３ｂ、該第２アーム３ｂに対して前後方向に回動自在に取付けられた第３アーム３ｃおよび該第３アーム３ｃに対して上下方向に回動自在に取付けられたライト３ｄとから構成されたデンタルライトユニットである。
【００２１】
４は同じく給排水ボックス１ａの水平方向に回転自在に取付けられた第１アーム４ａと、該第１アーム４ａに対して上下方向に回動自在に取付けられたバランスアーム４ｂと、該バランスアーム４ｂに対して回動自在に取付けられたドクターテーブル４ｃとからなるドクターユニットである。
【００２２】
５は前記したアシスタントホルダー２およびドクターテーブルに装備された施術器具の動作を制御するユーティリィボックスにして、フットコントローラ６を踏み込むことにより前記ユーティリィボックス５に接続されている収容パイプ５ａ内の電源ケーブル、吸引パイプ、空圧パイプを介して施術器具を制御する構造となっている。なお、以上の構成は公知の装置である。
【００２３】
そして、前記ボール１ｂは図２に示すように施術時には図２（ａ）に示すように給排水ボックス１ａに対して平行な状態に位置しており、患者が嗽いする時にはアシスタントや医師がボール１ｂを持って回転することで排水管部を支点として患者側に変位して嗽が行い易い位置に固定されるものである。
【００２４】
次に、本発明の汚物処理装置を具体的に説明する。
７は前記した給排水ボックス１ｂの天板部１ｂ′に対して回転軸部７ａによって少なくとも９０度の範囲で回転自在に軸支されたボール支持台にして、該ボール支持台７に形成された開口部７ｂにはボール１ｂがパッキン７ｃを介して取付けられている。
【００２５】
前記パッキン７ｃにはボール１ｂの開口部１ｃと連通する連通管８が取付けられている。この連通管８は下部が二重管構造となっており、内側の管は後述するゴミキャッチャー１１から流れる汚水や汚物が流れる出る流通路８ａであり、外側の管は後述するトラップ９を取付けるためのトラップ支持管８ｂとなっている。なお、前記流通路８ａの長さはトラップ９をトラップ支持管８ｂに取付けた状態において、該トラップ９の底面近くまで達するように形成されている（図３参照）。
【００２６】
９は前記トラップ支持管８ｂの上方外周面に形成されたリング状の溝８ｃに係合される複数の突起９ａが形成されたボトル状のトラップである（図４参照）。そして、トラップ９は比較的弾性を有する合成樹脂で形成されおり、前記トラップ９を下方に引っ張ることで該トラップ９の突起９ａとトラップ支持管８ｂの溝８ｃとの係合を解除できる構成となっている。
【００２７】
１０は前記トラップ支持管８ｂと連通して形成された排水管にして、前記回転軸部７ａの内部を貫通して歯科医院の床下に形成されている配管（図示せず）と接続される。
【００２８】
１１は前記ボール１ｂの開口部１ｃに着脱自在に嵌合される比較的大きなゴミをキャッチするゴミキャッチャーにして、前記開口部１ｃに載置される鍔部１１ａと、該鍔部１１ａの下方に一体的に形成され円周部と底部に大きめのゴミを通過させない孔が形成されたキャッチャー部１１ｂと、該キャッチャー部１１ｂの底面から突出したリブ１１ｃとから構成されている（図５参照）。
【００２９】
１２は前記ゴミキャッチャー１１の開口部に着脱自在に取付け可能なカバーにして、円板状のキャップ部１２ａと、該キャップ部１２ａの裏面側から下方に向かって形成され、かつ、前記ゴミキャッチャー１１の鍔部１１ａに当接する支持杆１２ｂと、該支持杆１２ｂと一体的に形成され前記キャッチャー部１１ｂの円周部に形成された孔に係合される突起１２ｃが形成された係合杆１２ｄとから構成されている（図６参照）。
【００３０】
そして、ゴミキャッチャー１１の開口部側からカバー１２を嵌め込むと、支持杆１２ｂが鍔部１１ａに当接し、それ以上の挿入が阻止され、この状態において係合杆１２ｄに形成された突起１２ｃがキャッチャー部１１ｂの孔に係合され、ゴミキャッチャー１１とカバー１２とは一体化される。この一体化した状態でボール１ｂの開口部１ｃに差し込むことで、患者が嗽を行い口腔から排出される大きめのゴミは捕捉され、小さなゴミは通過して前記したトラップ９に流れ込む（図７参照）。
【００３１】
また、ゴミキャッチャー１１とカバー１２とを分離するには、カバー１２の円板状のキャップ部１２ａを片方の手で持ち、他方の手でゴミキャッチャー１１のリブ１１ｃを持って互いに引っ張る方向に力を入れることで分離するので、キャッチャー部１１ｂに捕捉された大きめのゴミを廃棄することが可能となる。
【００３２】
次に、患者が治療中あるいは治療が終了して嗽を行う場合の口腔から排出される血液、歯牙の破片等の流れについて説明する。
患者の嗽が行われると口腔から排出される血液、ゴミである歯牙の破片の汚水や汚物はボール１ｂの排出口に設けられたゴミキャッチャー１１の鍔部１１ａとカバー１２の円板部１２ａとの隙間から流れ出て連通管８の流通路８ａを通ってトラップ９に貯留される。
【００３３】
この流れにおいて、大きなゴミ、例えば大きな歯牙の破片はゴミキャッチャー１１に捕捉され汚水や小さな歯牙の破片等の汚物は汚水と共にトラップ９内に入り込み、該トラップ９内において捕捉される。
【００３４】
この状態において、連通管８における流通路８ａの下端はトラップ９の内部まで入り込んでいるのでトラップ９内に水が常に滞留しているため、排水管１０および排水管１０より下方の配管で発生する汚臭はトラップ９内の水によって遮られてボール１ｂ側に漏れることはなく、従って、患者に不快な思いをさせることはない。
【００３５】
そして、トラップ９内に汚物が滞留した場合には、患者が嗽を行う位置にボール１ｂを回転させることで、ボール支持台７の下方は開放されていることからトラップ９がボール支持台７から露出状態となる。この状態においてトラップ９を下方に引っ張ることでトラップ９の突起９ａが連通管８のトラップ支持管８ｂに形成された溝８ｃより離脱し、トラップ９が外れるので内部の汚水や汚物を排除でき、また、排除した後に前記したとは逆の動作を行うことでトラップ９をボール支持台７に取付けることで汚水や汚物をトラップ９内に捕捉することができる。
【００３６】
なお、前記した実施例にあっては、歯科用ユニットのボールに応用した場合について説明したが、洗面ボールや洗髪ボール等の排水処理部を有する全てのものに応用できることは当然のことである。
【図面の簡単な説明】
【００３７】
【図１】ボールを備えた歯科治療ユニットの斜視図である。
【図２】（ａ）は患者がボールを使用しない状態を示すボールを給排水ボックスに対して平行にした平面図、（ｂ）は患者が嗽を行う状態を示すボールを給排水ボックスから略９０度に回転した状態を示す平面図である。
【図３】本発明の汚物処理装置の断面図である。
【図４】（ａ）はトラップの平面図、（ｂ）は断面図である。
【図５】（ａ）はゴミキャッチャーの平面図、（ｂ）は半断面図である。
【図６】（ａ）はカバーの側面図、（ｂ）は断面図である。
【図７】ゴミキャッチャーとカバーとを組み合わせた断面図である。
【符号の説明】
【００３８】
１ａ        給排水ボックス
１ｂ        ボール
７          ボール支持台
８          連通管
９          トラップ
【図１】
2010115377.tif 000003
【図２】
2010115377.tif 000004
【図３】
2010115377.tif 000005
【図４】
2010115377.tif 000006
【図５】
2010115377.tif 000007
【図６】
2010115377.tif 000008
【図７】
2010115377.tif 000009